(57)【要約】【目的】  傷や汚れがある記録媒体のデータをスムーズに再生する。【構成】  光ディスクレコーダ制御装置のコントローラ２３は、自装置に再生対象の光ディスクの検査情報が記憶されていれば（Ｓ１）、検査情報のディスク再生位置とその再生位置のディスクの状態を参照して光ディスクの読み込み位置の状態をチェックし（Ｓ２）、上記チェック結果に基づいて再生に支障がある箇所であり再生時の読み込み位置から除外して読み飛ばすか否かを判断し（Ｓ３）、読み飛ばすと判断したら、読み込み位置をずらし（Ｓ４）、読み込みコマンドを発行する。【選択図】        図２
2006107731.tif 000002
【特許請求の範囲】
【請求項１】
記録媒体上に記録されたデータを再生する情報再生装置において、前記記録媒体上に記録されたデータの再生検査を実施して検査情報を得る手段を設けたことを特徴とする情報再生装置。
【請求項２】
請求項１記載の情報再生装置において、前記検査情報を通知する手段を設けたことを特徴とする情報再生装置。
【請求項３】
請求項１又は２記載の情報再生装置において、前記検査情報に基づいて前記記録媒体に対する読み込み位置を制御する手段を設けたことを特徴とする情報再生装置。
【請求項４】
請求項１乃至３のいずれか一項に記載の情報再生装置において、前記記録媒体の情報に前記検査情報を対応させて記憶する手段を設けたことを特徴とする情報再生装置。
【請求項５】
請求項１乃至４のいずれか一項に記載の情報再生装置において、前記再生検査を通常の再生状態でも実施させる手段を設けたことを特徴とする情報再生装置。
【請求項６】
記録媒体上に記録されたデータを再生する情報再生方法において、前記記録媒体上に記録されたデータの再生検査を実施して検査情報を得ることを特徴とする情報再生方法。
【請求項７】
請求項６記載の情報再生方法において、前記検査情報を通知することを特徴とする情報再生方法。
【請求項８】
請求項６又は７記載の情報再生方法において、前記検査情報に基づいて前記記録媒体に対する読み込み位置を制御することを特徴とする情報再生方法。
【請求項９】
請求項６乃至８のいずれか一項に記載の情報再生方法において、前記記録媒体の情報に前記検査情報を対応させて記憶することを特徴とする情報再生方法。
【請求項１０】
請求項６乃至９のいずれか一項に記載の情報再生方法において、前記再生検査を通常の再生状態でも実施させることを特徴とする情報再生方法。
【発明の詳細な説明】
【技術分野】
【０００１】
この発明は、ＣＤ−Ｒディスク，ＣＤ−ＲＷディスク，ＤＶＤ−Ｒディスク，ＤＶＤ＋Ｒディスク，ＤＶＤ−ＲＷディスク，ＤＶＤ＋ＲＷディスク等の光ディスクを再生する光ディスクドライブ等の情報再生装置とその情報再生方法とに関する。
【背景技術】
【０００２】
現在、ＤＶＤプレーヤの普及率が上昇し、更に今後はＤＶＤレコーダの普及も見込まれる。ＤＶＤレコーダにはＤＶＤプレーヤの基本機能が含まれており、ＤＶＤビデオ（ＤＶＤ−Ｖｉｄｅｏ）ディスクの再生と、データを記録したＤＶＤディスクの再生が行える。
パーソナルコンピュータの用途と異なり、民生用のＤＶＤプレーヤやＤＶＤレコーダでの再生においては、ユーザニーズとして静音性が要求される。
パーソナルコンピュータの用途では、ディスクの再生はリードスピードとしてカタログにその数値が記載されるが、そのような速度は民生用では要求されない。
現在普及しているＤＶＤビデオディスクやその他のディスクは取り扱いに注意しているとはいえ、通常の使用でもキズや汚れが付着してしまう。
【０００３】
ＤＶＤプレーヤやＤＶＤレコーダの再生能力にもよるが、ある程度のキズや汚れであれば、パーソナルコンピュータ用ドライブ，ＤＶＤプレーヤ，ＤＶＤレコーダのデータエラー訂正の能力によって正常に再生することができる。
パーソナルコンピュータ用ドライブでは、再生速度がＤＶＤプレーヤやＤＶＤレコーダに比べて非常に早い為、速度による有利性がある。また、速度変化によるエラー訂正能力の一時的な改善やパーソナルコンピュータに搭載されたメモリ量が豊富なことから、ディスクからの読み取りがある程度遅くなったとしても映像が止まってしまうようなことがない。
【０００４】
ただし、そのキズや汚れがひどい場合にはそれらの機器で再生において補う処理を行う必要がある。
従来、ディスクのエラー訂正を行う装置（例えば、特許文献１，２参照）や、エラーが発生するポイントをドライブ側で判断してエラーを通知する装置（例えば、特許文献３参照）があった。
【特許文献１】特開２０００−００３３１０
【特許文献２】特開２０００−０１１５４４
【特許文献３】特開２０００−１６３８９１
【発明の開示】
【発明が解決しようとする課題】
【０００５】
しかしながら、上述の装置では傷や汚れがある記録媒体のデータをスムーズに再生させることはできず、ＤＶＤプレーヤやＤＶＤレコーダでは静音性を要求されていることから再生速度が制限されていることやコスト面から搭載されているメモリも少なくパーソナルコンピュータでのような処理方法で再生を補うことが不可能であるという問題があった。
この発明は上記の点に鑑みてなされたものであり、傷や汚れがある記録媒体のデータをスムーズに再生できるようにすることを目的とする。
【課題を解決するための手段】
【０００６】
この発明は上記の目的を達成するため、次の（１）〜（５）の情報再生装置を提供する。
（１）記録媒体上に記録されたデータを再生する情報再生装置において、上記記録媒体上に記録されたデータの再生検査を実施して検査情報を得る手段を設けた情報再生装置。
（２）上記（１）の情報再生装置において、上記検査情報を通知する手段を設けた情報再生装置。
（３）上記（１）又は（２）の情報再生装置において、上記検査情報に基づいて上記記録媒体に対する読み込み位置を制御する手段を設けた情報再生装置。
（４）上記（１）乃至（３）のいずれかの情報再生装置において、上記記録媒体の情報に上記検査情報を対応させて記憶する手段を設けた情報再生装置。
（５）上記（１）乃至（４）のいずれかの情報再生装置において、上記再生検査を通常の再生状態でも実施させる手段を設けた情報再生装置。
【０００７】
また、次の（６）〜（１０）の情報再生方法も提供する。
（６）記録媒体上に記録されたデータを再生する情報再生方法において、上記記録媒体上に記録されたデータの再生検査を実施して検査情報を得る情報再生方法。
（７）上記（６）の情報再生方法において、上記検査情報を通知する情報再生方法。
（８）上記（６）又は（７）の情報再生方法において、上記検査情報に基づいて上記記録媒体に対する読み込み位置を制御する情報再生方法。
（９）上記（６）乃至（８）のいずれかの情報再生方法において、上記記録媒体の情報に上記検査情報を対応させて記憶する情報再生方法。
（１０）上記（６）乃至（９）のいずれか一項に記載の情報再生方法において、上記再生検査を通常の再生状態でも実施させる情報再生方法。
【発明の効果】
【０００８】
この発明による情報再生装置と情報再生方法は、傷や汚れがある記録媒体のデータをスムーズに再生することができる。
【発明を実施するための最良の形態】
【０００９】
以下、この発明を実施するための最良の形態を図面に基づいて具体的に説明する。
図１は、この発明の一実施形態である情報再生装置の構成を示すブロック図である。
この情報再生装置は、ＤＶＤ＋ＲＷドライブ装置等の光ディスクドライブ１とＤＶＤレコーダ等の光ディスクレコーダ制御装置２（同図にはこの発明に係る主要部とデータ転送部分を示す）とからなる。
【００１０】
光ディスクドライブ１は、データ記録及びデータ再生が可能な情報記録媒体であるＤＶＤ＋ＲＷディスク等の光ディスク１９に対するデータの記録及び再生を行う。
光ディスク１９を回転させるスピンドルモータ等のモータ１０と、そのモータ１０の回転を制御する回転制御系部１１と、光ディスク１９にデータ記録及び再生のためのレーザ光Ｌを照射する光ピックアップ１２を備えている。
【００１１】
また、その光ピックアップ１２を光ディスク１９の半径方向に移動させる粗動モータと、その粗動モータの回転駆動制御を行う粗動モータ制御系部と、光ピックアップ１２によるレーザ光Ｌの発光駆動等の制御を行う光ピックアップ制御系部とからなる粗動モータ／光ピックアップ制御系部１３と、光ピックアップ１２からの再生信号と光ピックアップ１２への記録信号の入出力を制御する信号処理系部１４と、光ディスク１９に記録するデータ及び光ディスク１９から再生したデータ等の各種データを一時的に格納すると共に、コントローラ１７が各種の処理を実行する際にデータを一時的に記憶する領域として利用するキャッシュメモリ１５を備えている。
【００１２】
また、光ディスクレコーダ制御装置２と外部インタフェース３０を介してデータのやり取りが可能に接続し、光ディスクレコーダ制御装置２との間のデータのやり取りを制御する外部インタフェース制御系部１６と、ＣＰＵ，ＲＯＭ及びＲＡＭ等からなるマイクロコンピュータによって実現され、図示を省略したＲＯＭやＲＡＭ等のメモリにこの発明に係る情報再生方法を実行させるためのプログラムも含む各種のプログラムを記録し、そのプログラムの手順を実行することによってこの発明に係る機能を実現するコントローラ１７を備えている。
【００１３】
一方、光ディスクレコーダ制御装置２は、ＤＶＤレコーダ等のデータ転送装置であり、外部インタフェース３０を介して光ディスクドライブ１とデータの出力及びデータの入出力可能に接続し、光ディスクドライブ１に記録用のデータを出力したり、光ディスクドライブ１に対してデータ再生制御処理の指示を送ったり、光ディスクドライブ１によって再生されたデータを受け取る。
映像信号発生機２０は、映像記録時にＴＶアンテナ，衛星アンテナ等から映像信号を入力してデータ変換部２１へ送り、映像再生時にデータ変換部２１から受け取った映像信号を外部に接続されたビデオ機器等の端子へ出力する。
【００１４】
データ変換部２１は、コントローラ２３からの指示によって映像信号発生機２０からの映像信号をエンコードし、光ディスクドライブ１によって再生されたデータを入力し、そのデータをデコードする処理を行う。
外部インタフェース制御系部２２は、光ディスクドライブ１と外部インタフェース３０を介してデータのやり取りが可能に接続し、光ディスクドライブ１との間のデータのやり取りを制御する。
【００１５】
コントローラ２３は、ＣＰＵ，ＲＯＭ及びＲＡＭ等からなるマイクロコンピュータによって実現され、図示を省略したＲＯＭやＲＡＭ等のメモリにこの発明に係る情報再生方法を実行させるためのプログラムも含む各種のプログラムを記録し、そのプログラムの手順を実行することによってこの発明に係る機能を実現する。
外部インタフェース３０は、光ディスクドライブ１及び光ディスクレコーダ制御装置２とを接続し、双方でデータのやり取りを可能にするためのＡＴＡＰＩ，ＳＣＳＩ，ＵＳＢ，ＩＥＥＥ１３９４等のインタフェースである。
【００１６】
例えば、ＤＶＤプレーヤやＤＶＤレコーダでＤＶＤ−Ｖｉｄｅｏを再生する場合には、パーソナルコンピュータで使用されるＤＶＤ−ＲＯＭディスクからの読み込みと原理的には同じである。しかし、ＤＶＤ−ＲＯＭディスクの場合にそこに記録されたデータが映像でなくアプリケーションや各種ドキュメントなどで完全に読み込むことが必要なファイルであるが、ＤＶＤ―Ｖｉｄｅｏの場合には映像、音声、字幕といった完全に読み込めなくとも（一部分を間引きしたとしても）あまり影響がない。許容される範囲としては一瞬の映像等であればまったく問題がないと言える。
【００１７】
そこで、この情報再生装置では、キズや汚れといった読み込みに影響を与える要因があった光ディスク１９に対して再生のリアルタイム性を損なうことを極力抑えることができる。
次に、この情報再生装置の再生処理について説明する。
まず、光ディスクドライブ１のコントローラ１７は、光ディスク１９に対して再生検査を実施してその検査情報を得る。
例えば、光ディスクドライブ１又は光ディスクレコーダ制御装置２のメニューにディスク検査実行を選択する指示する機能を盛り込んでおく。
【００１８】
コントローラ１７は、この再生検査によって光ディスク１９の全体を検査して実際の読み込み時に通常よりも時間が必要になると思われる箇所を洗い出し、光ディスク１９の状態を確認するための情報を得る。その光ディスク１９の状態を確認するための情報としては、エラー訂正能力の基準として使用しているＣ１／Ｃ２やＰＩ／ＰＯで判断が可能である。
上記Ｃ１／Ｃ２は、ＣＤ系の光ディスクにおいてデータエラーを訂正する機能であるサーク（Ｃｒｏｓｓ  Ｉｎｔｅｒｌｅａｖｅ  Ｒｅｅｄ  Ｓｏｌｏｍｏｎ  Ｃｏｄｅ：ＣＩＲＣ）において行われる２系列の訂正であり、１系列目は主にランダムエラーと呼ばれる短いエラー（Ｃ１）を、２系列目では主にバーストエラーと呼ばれる長いエラー（Ｃ２）を訂正し、長いエラー（Ｃ２）はデータを分散して短いエラーに変換してエラーを訂正しやすくする。
【００１９】
また、ＰＩ／ＰＯは、ＤＶＤ系のディスクにおいてデータエラーを訂正する上述と同様の機能である。
上記Ｃ１／Ｃ２及びＰＩ／ＰＯは、Ｃ１（ＰＩ）の数値が多いと再生に致命的ではないが少しの支障があると判断することができる。また、Ｃ２（ＰＯ）の数値はＣ１（ＰＩ）の数値が多い場合にその数値が変化する傾向があり、その数値が多いと再生に支障があると判断できる。つまり、再生検査によって得られたＣ２（ＰＯ）の数値の高い箇所（セクタ）のデータの読み込みを避けることによってデータ再生をスムーズに進めることができる。
このようにして、光ディスクの再生前にその光ディスクに記録されたデータの再生をスムースに行わせる為の検査情報を収集することができる。
【００２０】
次に、光ディスクドライブ１のコントローラ１７は、外部インタフェース３０を介して上記検査情報を光ディスクレコーダ制御装置２へ通知する。
そして、光ディスクレコーダ制御装置２のコントローラ２３はその検査情報をＲＡＭに保存する。このようにすれば、光ディスクドライブ１側では搭載しているメモリの量も光ディスクレコーダ制御装置２側に比べれば少ないのでその方が都合が良い。
【００２１】
【表１】
2006107731.tif 000003
【００２２】
表１は、ディスク再生位置とその再生位置のディスクの状態とを示す検査情報の一例を示す表であり、ＬＢＡは論理ブロックアドレス（Ｌｏｇｉｃａｌ  Ｂｌｏｃｋ  Ａｄｄｒｅｓｓ）であり、光ディスクレコーダ制御装置２にデータベースとして記憶する。そして、上記検査情報から不良と思われる読み込み位置“０×００００３０”の箇所を再生に支障がある箇所と判断して再生時の読み込み位置から除外する。
上記検査情報を記憶する際、検査情報と光ディスク１９のディスク情報（ディスクＩＤ，ボリューム名等）を対応させて記憶するようにすれば、次回から検査する手順を省くことが出来る。
【００２３】
このようにして、光ディスクの再生をスムースに行わせる為の検査情報を収集することができ、光ディスクを出し入れしてもその時に収集した検査情報がなくなってしまうことがなく、次回再生時に光ディスクに対する状態を取得していない場合でも既に記録している情報からデータ再生をスムースに行わせることができる。
【００２４】
次に、上記検査が終了したら光ディスクに対する通常の再生を行う。
その際、上記取得した検査情報から読み込み位置を制御する必要がある。
図２は、光ディスクの検査後の再生処理を示すフローチャート図である。
この処理は、光ディスクレコーダ制御装置２のコントローラ２３が、ステップ（図中「Ｓ」で示す）１で自装置に再生対象の光ディスクの検査情報が記憶されているか否かを判断し、記憶されていなければステップ５へ進んで光ディスクドライブへ読み込みコマンドを発行して再生処理を行わせ、この処理を終了する。
【００２５】
また、ステップ１の判断で検査情報が記憶されていれば、ステップ２へ進んで検査情報のディスク再生位置とその再生位置のディスクの状態を参照して光ディスクの読み込み位置の状態をチェックし、ステップ３で上記チェック結果に基づいて再生に支障がある箇所であり再生時の読み込み位置から除外して読み飛ばすか、再生に支障が無い箇所であり再生時の読み込み位置から除外せずに読み飛ばさないかを判断し、読み飛ばさないと判断したらステップ５へ進んで光ディスクドライブへ読み込みコマンドを発行して再生処理を行わせ、この処理を終了する。
一方、ステップ３の判断で読み飛ばすと判断したら、ステップ４へ進んで読み込み位置をずらし、ステップ１へ戻り、上述の処理を繰り返す。
【００２６】
このように、再生を開始して光ディスクレコーダ制御装置２側から光ディスクドライブ１へ読み込みコマンドが送られるが、その時、光ディスクの再生検査で所得した検査情報に基づいて、再生に支障がある箇所と判断された読み込み位置を避けて読み込みコマンドを発行するので、光ディスクドライブ１側で再生に支障がある箇所での再生リトライが発生せず、スムースな再生が行われる。
このようにして、光ディスクのキズや汚れによる影響を受けても再生をスムースに行わせることができる。
【００２７】
次に、上述の処理では、上記再生検査をユーザがメニューを選択して実施する場合を示したが、光ディスクを一度通常通りに再生してその再生結果が少しぎこちないような場合、光ディスクドライブ１と光ディスクレコーダ制御装置２側とのコマンドの処理時間等でも何か異常があることが判断できるので、上記再生検査を通常の再生状態でも実施させるようにするとよい。
【００２８】
図３は、光ディスクの再生状態時に再生検査する処理を示すフローチャート図である。
この処理は、光ディスクレコーダ制御装置２のコントローラ２３が、ステップ（図中「Ｓ」で示す）１１で光ディスクドライブへ読み込みコマンドを発行して再生を行わせ、ステップ１２で光ディスクドライブでエラーありか否かを判断し、エラー有りなら、ステップ１４へ進んで光ディスクドライブに上述の再生検査を行わせ、その再生検査で得られた検査情報を追加（データベース構築）し、この処理を終了する。
また、ステップ１２の判断でエラー無しなら、ステップ１３でステータス受信時間が予め設定した所定時間よりも長いか短いかを判断し、短ければ、この処理を終了し、長ければ、ステップ１４へ進んで光ディスクドライブに上述の再生検査を行わせ、その再生検査で得られた検査情報を追加（データベース構築）し、この処理を終了する。
【００２９】
こうして、再生中に実施した再生検査による検査情報を次回の再生時に使うことでも同様な効果が得られる。
このようにして、再生に必要な検査情報を事前に所得していない場合に再生におけるその光ディスクに対する状態をデータ化することができ、事前に再生におけるその光ディスクに対する状態を取得していない場合でも次回からデータ再生をスムースに行わせることができる。
なお、上記光ディスクレコーダ制御装置２は、ホストコンピュータでも同様に実施することができる。
【産業上の利用可能性】
【００３０】
この発明による情報再生装置と情報再生方法は、デスクトップパソコン，ノートブックパソコン等のパーソナルコンピュータにおいても適用することができる。
【図面の簡単な説明】
【００３１】
【図１】この発明の一実施形態である情報再生装置の構成を示すブロック図である。
【図２】光ディスクの検査後の再生処理を示すフローチャート図である。
【図３】光ディスクの再生状態時に再生検査する処理を示すフローチャート図である。
【符号の説明】
【００３２】
１：光ディスクドライブ    ２：光ディスクレコーダ制御装置    １０：モータ    １１：回転制御系部    １２：光ピックアップ    １３：粗動モータ／光ピックアップ制御系部    １４：信号処理系部    １５：キャッシュメモリ    １６，２２：外部インタフェース制御系部    １７，２３：コントローラ    １９：光ディスク    ２０：映像信号発生機    ２１：データ変換部
【図１】
2006107731.tif 000004
【図２】
2006107731.tif 000005
【図３】
2006107731.tif 000006
【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
記録媒体上に記録されたデータを再生するドライブと、前記ドライブへ読み込みコマンドを発行して再生処理を行わせ、前記ドライブによって再生されたデータを受信する制御装置とを有する情報再生装置において、前記制御装置に、前記読み込みコマンドの発行から前記データの受信までの受信時間が予め設定された時間よりも長いか短いかを判断し、長ければ前記ドライブに前記記録媒体上に記録されたデータの再生検査を行わせて前記再生検査で得られた検査情報を得る手段を設けたことを特徴とする情報再生装置。
【請求項２】
請求項１記載の情報再生装置において、前記制御装置に、前記検査情報に基づいて前記ドライブに前記記録媒体からの読み込み位置を制御させる手段を設けたことを特徴とする情報再生装置。
【請求項３】
請求項１又は２記載の情報再生装置において、前記制御装置に、前記記録媒体の情報に前記検査情報を対応させて記憶する手段を設けたことを特徴とする情報再生装置。
【請求項４】
請求項１乃至３のいずれか一項に記載の情報再生装置において、前記制御装置に、前記ドライブに前記再生検査を通常の再生状態でも実施させる手段を設けたことを特徴とする情報再生装置。
【請求項５】
請求項１乃至４のいずれか一項に記載の情報再生装置において、前記制御装置に、自装置に再生対象の記録媒体の検査情報が記憶されている場合、前記検査情報に基づいて前記ドライブに前記記録媒体からの読み込み位置を制御させる手段を設けたことを特徴とする情報再生装置。
【請求項６】
記録媒体上に記録されたデータを再生するドライブと、前記ドライブへ読み込みコマンドを発行して再生処理を行わせ、前記ドライブによって再生されたデータを受信する制御装置とを有する情報再生装置の情報再生方法において、前記制御装置が、前記読み込みコマンドの発行から前記データの受信までの受信時間が予め設定された時間よりも長いか短いかを判断し、長ければ前記ドライブに前記記録媒体上に記録されたデータの再生検査を行わせて前記再生検査で得られた検査情報を得ることを特徴とする情報再生方法。
【請求項７】
請求項６記載の情報再生方法において、前記制御装置が、前記検査情報に基づいて前記ドライブに前記記録媒体からの読み込み位置を制御させることを特徴とする情報再生方法。
【請求項８】
請求項６又は７記載の情報再生方法において、前記制御装置が、前記記録媒体の情報に前記検査情報を対応させて記憶することを特徴とする情報再生方法。
【請求項９】
請求項６乃至８のいずれか一項に記載の情報再生方法において、前記制御装置が、前記ドライブに前記再生検査を通常の再生状態でも実施させることを特徴とする情報再生方法。
【請求項１０】
請求項６乃至９のいずれか一項に記載の情報再生方法において、前記制御装置が、自装置に再生対象の記録媒体の検査情報が記憶されている場合、前記検査情報に基づいて前記ドライブに前記記録媒体からの読み込み位置を制御させることを特徴とする情報再生方法。
【手続補正２】
【補正対象書類名】明細書
【補正対象項目名】０００６
【補正方法】変更
【補正の内容】
【０００６】
この発明は上記の目的を達成するため、次の（１）〜（５）の情報再生装置を提供する。
（１）記録媒体上に記録されたデータを再生するドライブと、上記ドライブへ読み込みコマンドを発行して再生処理を行わせ、上記ドライブによって再生されたデータを受信する制御装置とを有する情報再生装置において、上記制御装置に、上記読み込みコマンドの発行から上記データの受信までの受信時間が予め設定された時間よりも長いか短いかを判断し、長ければ上記ドライブに上記記録媒体上に記録されたデータの再生検査を行わせて上記再生検査で得られた検査情報を得る手段を設けた情報再生装置。
（２）上記（１）の情報再生装置において、上記制御装置に、上記検査情報に基づいて上記ドライブに上記記録媒体からの読み込み位置を制御させる手段を設けた情報再生装置。
（３）上記（１）又は（２）の情報再生装置において、上記制御装置に、上記記録媒体の情報に上記検査情報を対応させて記憶する手段を設けた情報再生装置。
（４）上記（１）乃至（３）のいずれかの情報再生装置において、上記制御装置に、上記ドライブに上記再生検査を通常の再生状態でも実施させる手段を設けた情報再生装置。
（５）上記（１）乃至（４）のいずれかの情報再生装置において、上記制御装置に、自装置に再生対象の記録媒体の検査情報が記憶されている場合、上記検査情報に基づいて上記ドライブに上記記録媒体からの読み込み位置を制御させる手段を設けた情報再生装置。
【手続補正３】
【補正対象書類名】明細書
【補正対象項目名】０００７
【補正方法】変更
【補正の内容】
【０００７】
また、次の（６）〜（１０）の情報再生方法も提供する。
（６）記録媒体上に記録されたデータを再生するドライブと、上記ドライブへ読み込みコマンドを発行して再生処理を行わせ、上記ドライブによって再生されたデータを受信する制御装置を有する情報再生装置の情報再生方法において、上記制御装置が、上記読み込みコマンドの発行から上記データの受信までの受信時間が予め設定された時間よりも長いか短いかを判断し、長ければ上記ドライブに上記記録媒体上に記録されたデータの再生検査を行わせて上記再生検査で得られた検査情報を得る情報再生方法。
（７）上記（６）の情報再生方法において、上記制御装置が、上記検査情報に基づいて上記ドライブに上記記録媒体からの読み込み位置を制御させる情報再生方法。
（８）上記（６）又は（７）の情報再生方法において、上記制御装置が、上記記録媒体の情報に上記検査情報を対応させて記憶する情報再生方法。
（９）上記（６）乃至（８）のいずれか一項に記載の情報再生方法において、上記制御装置が、上記ドライブに上記再生検査を通常の再生状態でも実施させる情報再生方法。
（１０）上記（６）乃至（９）のいずれかの情報再生方法において、上記制御装置が、自装置に再生対象の記録媒体の検査情報が記憶されている場合、上記検査情報に基づいて上記ドライブに上記記録媒体からの読み込み位置を制御させる情報再生方法。